(57)【要約】【課題】  バッグ本体の膨らみを調節するような熟練を要することなく、既設ガス管内の供給用ガスを、既設ガス管内のガス圧が急激に低下せず、しかも、ガスパージ作業の能率が低下しない所望流量で新設ガス管内に容易に導入できるようにする。【解決手段】  既設ガス管Ｃ内の供給用ガスを、その既設ガス管に連通接続した新設ガス管Ｄ内に導入することにより、新設ガス管内の既存ガスを放出して供給用ガスで置換するガスパージ方法であって、既設ガス管と新設ガス管との連通接続部におけるガス流通を遮断した状態で、その遮断箇所を挟む前後の管内を、流量調節手段８を設けてあるガス導入用ホースで流量調節手段を管外から調節操作自在に連通して、そのホースを通して供給用ガスを新設ガス管内に導入する。【選択図】        図１
2005240848.tif 000002
【特許請求の範囲】
【請求項１】
既設ガス管内の供給用ガスを、その既設ガス管に連通接続した新設ガス管内に導入することにより、前記新設ガス管内の既存ガスを放出して供給用ガスで置換するガスパージ方法であって、
前記既設ガス管と前記新設ガス管との連通接続部におけるガス流通を遮断した状態で、その遮断箇所を挟む前後の管内を、流量調節手段を設けてあるガス導入用ホースで前記流量調節手段を管外から調節操作自在に連通して、そのホースを通して前記供給用ガスを新設ガス管内に導入するガスパージ方法。
【請求項２】
前記ガス導入用ホースを内側に挿通してあるバッグ本体を備えたガス遮断用バッグを使用して、管壁に形成した貫通孔を通して管内に装着したバッグ本体で前記既設ガス管と前記新設ガス管との連通接続部におけるガス流通を遮断するとともに、その遮断箇所を挟む前後の管内を前記ガス導入用ホースで連通する請求項１記載のガスパージ方法。
【請求項３】
前記ガス遮断用バッグの二個を使用して、前記貫通孔を挟む前後の管内に装着した二個のバッグ本体で前記既設ガス管と前記新設ガス管との連通接続部におけるガス流通を遮断するとともに、それらのガス導入用ホースの貫通孔側端部どうしを接続して、二つの遮断箇所を挟む前後の管内を連通する請求項２記載のガスパージ方法。
【発明の詳細な説明】
【技術分野】
【０００１】
本発明は、既設ガス管内の供給用ガスを、その既設ガス管に連通接続した新設ガス管内に導入することにより、前記新設ガス管内の既存ガスを放出して供給用ガスで置換するガスパージ方法に関する。
【背景技術】
【０００２】
既設ガス管の途中に新設ガス管を接続する場合は、図６（イ）に示すように、各既設ガス管Ｃの新設ガス管Ｄとの接続箇所近くの管周壁に貫通孔Ｅ１，Ｅ２を形成し、加圧空気供給用ホース１ｂを接続してあるバッグ本体２ｂを備えた通常のガス遮断用バッグＢを使用して、各貫通孔Ｅ１，Ｅ２を通して管内に装着したバッグ本体２ｂで既設ガス管Ｃの接続箇所端部を遮断して、既設ガス管Ｃ内の供給用ガスの外部への漏れ出しを防止した状態で、新設ガス管Ｄを既設ガス管Ｃに接続する工法が一般に採用されている。
そして、このような工法で新設ガス管Ｄを既設ガス管Ｃに接続したあとは、既設ガス管Ｃ内の供給用ガスを、その既設ガス管Ｃに連通接続した新設ガス管Ｄ内に導入することにより、新設ガス管Ｄ内の空気などの既存ガスを放出して供給用ガスで置換するガスパージ作業のために、従来から、既設ガス管Ｃの一方の接続箇所端部をバッグ本体２ｂで塞いだまま、他方の接続箇所端部を塞いでいるバッグ本体２ｂの空気を抜くことにより、そのバッグ本体２ｂを縮ませ、既設ガス管Ｃ内の供給用ガスをバッグ本体２ｂと管内面との間を通過する越ガスとして新設ガス管Ｄ内に導入することにより、既設ガス管Ｃの他方の接続箇所端部の貫通孔Ｅ２などから既存ガスを放出して供給用ガスで置換することが行われている。
しかしながら、越ガスの流量が多過ぎると、既設ガス管Ｃ内のガス圧が急激に低下して、既設ガス管Ｃ側からガスが供給されているユーザのガス器具が立ち消えしたり、マイコンメータやガバナなどに設けてあるガス遮断器が遮断作動して、その復旧に手間が掛かる問題があり、また、越ガスの流量が少な過ぎると、ガスパージ作業に長時間を要してその能率が低下する問題がある。
そこで、従来、例えば、図６（ロ）に示すように、縮ませるべきバッグ本体２ｂの加圧空気供給用ホース１ｂを挿通してある貫通孔Ｅ１の周りをノーブロバッグ１０で塞いで、加圧空気供給用ホース１ｂをノーブロバッグ１０の作業用開口部１０ａに挿通しておき、図６（ハ）に示すように、作業者が作業用開口部１０ａに腕１２を差し込んだり、作業用開口部１０ａを絞るなどして、作業用開口部１０ａの隙間からの供給用ガスの噴出圧力や噴出量などの噴出状態を作業者が感覚的に感じ取って、越ガスの流量を推し図り、越ガスの流量が多過ぎると思うとバッグ本体２ｂを膨らませ、越ガスの流量が少な過ぎると思うとバッグ本体２ｂを更に縮めて、供給用ガスを越ガスとして新設ガス管Ｄ内に導入している。
尚、この様な従来技術は、先行技術調査を行うまでもなく、当業者の間で広く知られているものであり、先行技術文献は示していない。
【発明の開示】
【発明が解決しようとする課題】
【０００３】
このため、既設ガス管内の供給用ガスを、既設ガス管内のガス圧が急激に低下せず、しかも、ガスパージ作業の能率が低下しない所望流量で新設ガス管内に導入するにあたって、バッグ本体の膨らみの調節に熟練を要する欠点がある。
本発明は上記実情に鑑みてなされたものであって、バッグ本体の膨らみを調節するような熟練を要することなく、既設ガス管内の供給用ガスを、既設ガス管内のガス圧が急激に低下せず、しかも、ガスパージ作業の能率が低下しない所望流量で新設ガス管内に容易に導入できるようにすることを目的とする。
【課題を解決するための手段】
【０００４】
本発明の第１特徴構成は、既設ガス管内の供給用ガスを、その既設ガス管に連通接続した新設ガス管内に導入することにより、前記新設ガス管内の既存ガスを放出して供給用ガスで置換するガスパージ方法であって、前記既設ガス管と前記新設ガス管との連通接続部におけるガス流通を遮断した状態で、その遮断箇所を挟む前後の管内を、流量調節手段を設けてあるガス導入用ホースで前記流量調節手段を管外から調節操作自在に連通して、そのホースを通して前記供給用ガスを新設ガス管内に導入する点にある。
【０００５】
〔作用及び効果〕
既設ガス管と新設ガス管との連通接続部におけるガス流通を遮断した状態で、その遮断箇所を挟む前後の管内を、流量調節手段を設けてあるガス導入用ホースで流量調節手段を管外から調節操作自在に連通して、そのホースを通して既設ガス管内の供給用ガスを新設ガス管内に導入するので、バッグ本体の膨らみを調節するような熟練を要することなく、流量調節手段の管外からの調節操作で、既設ガス管内の供給用ガスを、既設ガス管内のガス圧が急激に低下せず、しかも、ガスパージ作業の能率が低下しない所望流量で新設ガス管内に容易に導入できる。
【０００６】
本発明の第２特徴構成は、前記ガス導入用ホースを内側に挿通してあるバッグ本体を備えたガス遮断用バッグを使用して、管壁に形成した貫通孔を通して管内に装着したバッグ本体で前記既設ガス管と前記新設ガス管との連通接続部におけるガス流通を遮断するとともに、その遮断箇所を挟む前後の管内を前記ガス導入用ホースで連通する点にある。
【０００７】
〔作用及び効果〕
ガス導入用ホースを内側に挿通してあるバッグ本体を備えたガス遮断用バッグを使用して、管壁に形成した貫通孔を通して管内に装着したバッグ本体で既設ガス管と新設ガス管との連通接続部におけるガス流通を遮断するとともに、その遮断箇所を挟む前後の管内をガス導入用ホースで連通するので、ガス流通の遮断作業に付随して、遮断箇所を挟む前後の管内を連通できるようにガス導入用ホースを簡便に配置しておくことができ、しかも、例えば、遮断箇所を迂回して既設ガス管内の供給用ガスを新設ガス管内に導入できるように、遮断箇所を挟む両側の管壁に貫通孔を形成して、遮断箇所を挟む前後の管内を、それらの貫通孔に端部を挿入したガス導入用ホースで連通するような場合に比べて、貫通孔の穿孔作業やその復旧作業にも手間が掛からない。
【０００８】
本発明の第３特徴構成は、前記ガス遮断用バッグの二個を使用して、前記貫通孔を挟む前後の管内に装着した二個のバッグ本体で前記既設ガス管と前記新設ガス管との連通接続部におけるガス流通を遮断するとともに、それらのガス導入用ホースの貫通孔側端部どうしを接続して、二つの遮断箇所を挟む前後の管内を連通する点にある。
【０００９】
〔作用及び効果〕
ガス導入用ホースを内側に挿通してあるバッグ本体を備えたガス遮断用バッグの二個を使用して、貫通孔を挟む前後の管内に装着した二個のバッグ本体で既設ガス管と新設ガス管との連通接続部におけるガス流通を遮断するので、二個のバッグ本体で既設ガス管と新設ガス管との連通接続部におけるガス流通を確実に遮断できるとともに、それらのガス導入用ホースの貫通孔側端部どうしを接続して、二つの遮断箇所を挟む前後の管内を連通するので、既設ガス管内の供給用ガスが二つの遮断箇所の間の貫通孔から外部に漏れ出すおそれがなく、貫通孔からの供給用ガスの漏れ出しを防止するための手間を省ける。
【発明を実施するための最良の形態】
【００１０】
以下に本発明の実施の形態を図面に基づいて説明する。尚、図面において従来例と同一の符号で表示した部分は、同一又は相当の部分を示している。
〔第１実施形態〕
図１は、既設ガス管Ｃの途中に連通接続してある新設ガス管Ｄを示し、各既設ガス管Ｃの新設ガス管Ｄとの接続箇所近くの管壁に貫通孔Ｅ１，Ｅ２を形成し、一つの貫通孔Ｅ１，Ｅ２毎に、加圧空気供給用ホース１ａ，１ｂを接続してあるバッグ本体２ａ，２ｂを備えた一個のガス遮断用バッグ（以下、単にガスバッグという）Ａ，Ｂを使用して、各貫通孔Ｅ１，Ｅ２を通して管内に装着したバッグ本体２ａ，２ｂで既設ガス管Ｃの接続箇所端部を遮断し、既設ガス管Ｃ内の供給用ガスの外部への漏れ出しを防止した状態で、既設ガス管Ｃに接続してある。
【００１１】
前記ガスバッグＡ，Ｂのうちの一方の接続箇所端部を遮断しているガスバッグＡは、図２，図３に示すように、加圧空気供給用ホース１ａの内側とバッグ本体２ａの内側とに亘ってガス導入用ホース３を挿通して、バッグ本体２ａを略円柱形状に膨張させて既設ガス管Ｃ内を遮断した状態で、バッグ本体２ａによる遮断箇所を挟んで貫通孔Ｅ１側とは逆の既設ガス管Ｃ内に連通可能に設けてあるガス導入用ガスバッグＡで構成してある。
【００１２】
前記ガス導入用ガスバッグＡは、加圧空気供給用ホース１ａの一端側にチーズ４を連通接続して、チーズ４の一方の開口部６に手押し式空気ポンプ５を着脱自在に接続するとともに、ガス導入用ホース３をチーズ４の他方の開口部７に気密に挿通し、流量調節手段としてのガス導入用コック８をガス導入用ホース３の中間位置に接続してあり、以下に述べるガスパージを行うとき以外は、ガス導入用コック８を閉じておく。
【００１３】
次に、前記ガス導入用ガスバッグＡの二個を使用して、既設ガス管Ｃ内の供給用ガスを、その既設ガス管Ｃの途中に連通接続した新設ガス管Ｄ内に導入することにより、新設ガス管Ｄ内の既存ガス（空気）を放出して供給用ガスで置換する本発明によるガスパージ方法を説明する。
【００１４】
つまり、図１（イ）に示すように、バッグ本体２ａ，２ｂで既設ガス管Ｃの接続箇所両端部を塞いで、既設ガス管Ｃと新設ガス管Ｄとの各連通接続部におけるガス流通を遮断した状態で、一方の連通接続部におけるガス流通を遮断しているガス導入用ガスバッグＡのバッグ本体２ａを挿入した貫通孔Ｅ１を通して、ガス導入用コック８をガス導入用ホース３に接続していない別のガス導入用ガスバッグＡ（Ａ１）のバッグ本体２ａを更に挿入し、図１（ロ）に示すように、その貫通孔Ｅ１を挟む前後の管内に装着した二個のバッグ本体２ａで一方の連通接続部におけるガス流通を遮断する。
【００１５】
そして、それらのガス導入用ホース３の貫通孔側端部どうしをワンタッチジョイント９などで接続して、図１（ハ），図４に示すように、二個のバッグ本体２ａによる二つの遮断箇所を挟む前後の管内を、ガス導入用コック８を管外から調節操作自在に連通し、既設ガス管Ｃ内のガス圧が急激に低下せず、ガスパージ作業の能率も低下しない所望のガス流量になるようにガス導入用コック８を開いて、既設ガス管Ｃ内の供給用ガスを新設管Ｄ内に導入することにより、既設ガス管Ｃの他方の接続箇所端部の貫通孔Ｅ２から既存ガスを放出して、新設管Ｄ内を供給用ガスで置換する。
【００１６】
〔第２実施形態〕
図５は、ガス導入用ガスバッグＡの一個を使用して、既設ガス管Ｃ内の供給用ガスを、その既設ガス管Ｃの途中に連通接続した新設ガス管Ｄ内に導入することにより、新設ガス管Ｄ内の既存ガス（空気）を放出して供給用ガスで置換する本発明によるガスパージ方法を示す。
【００１７】
つまり、図５（イ）に示すように、一方の連通接続部におけるガス流通を遮断しているガス導入用ガスバッグＡのバッグ本体２ａに挿通してあるガス導入用ホース３の先端を、図５（ロ）に示すように、そのバッグ本体２ａを挿入した貫通孔Ｅ１を通して既設ガス管Ｃ内に挿入して、バッグ本体２ａによる遮断箇所を挟む前後の管内を、ガス導入用コック８を管外から調節操作自在に連通し、貫通孔Ｅ１の周りをノーブローバッグ１０で囲むと共に、貫通孔Ｅ１の隙間をシール用のパテ１１などで塞いでおく。
【００１８】
そして、既設ガス管Ｃ内のガス圧が急激に低下せず、ガスパージ作業の能率も低下しない所望のガス流量になるようにガス導入用コック８を開いて、既設ガス管Ｃ内の供給用ガスを新設管Ｄ内に導入することにより、既設ガス管Ｃの他方の接続箇所端部の貫通孔Ｅ２から既存ガスを放出して、新設管Ｄ内を供給用ガスで置換する。
その他の構成は第１実施形態と同様である。
【００１９】
〔その他の実施形態〕
１．本発明によるガスパージ方法は、バッグ本体による遮断箇所を挟んで貫通孔側とは逆の管内のガス圧を測るために設けてあるガス圧導入用ホースを利用しても良い。
２．本発明によるガスパージ方法は、遮断箇所を挟む前後の管内を、流量調節手段を設けてあるガス導入用ホースで、流量調節手段が管内に入り込むように連通して、その流量調節手段を管外から調節自在に設けても良い。
３．本発明によるガスパージ方法は、新設管Ｄ内の空気と置換させた不活性ガスなどの既存ガスを供給用ガスに置換するために使用しても良い。
４．本発明によるガスパージ方法は、弾性材を管内で管軸方向に圧縮して拡径変形させることにより、既設ガス管と新設ガス管との連通接続部におけるガス流通を遮断した状態で、その遮断箇所を挟む前後の管内をガス導入用ホースで流量調節手段を管外から調節操作自在に連通して、そのホースを通して供給用ガスを新設ガス管内に導入しても良い。
【図面の簡単な説明】
【００２０】
【図１】ガスパージ方法を説明する要部断面図
【図２】ガス導入用ガスバッグの装着状態を示す要部断面図
【図３】ガス導入用ガスバッグの要部断面図
【図４】ガスパージ方法を説明する要部拡大断面図
【図５】第２実施形態のガスパージ方法を説明する要部断面図
【図６】従来技術の説明図
【符号の説明】
【００２１】
２ａ  バッグ本体
３    ガス導入用ホース
８    流量調節手段
Ａ    ガス遮断用バッグ
Ｃ    既設ガス管
Ｄ    新設ガス管
Ｅ１  貫通孔
【図１】
2005240848.tif 000003
【図２】
2005240848.tif 000004
【図３】
2005240848.tif 000005
【図４】
2005240848.tif 000006
【図５】
2005240848.tif 000007
【図６】
2005240848.tif 000008